(57)【要約】【課題】本発明の目的は、一般家庭の浴槽や業務用給湯設備からの温排水の持つ熱エネルギーを有効利用して融雪を行う小規模融雪システムを提供することにある。【解決手段】屋根８に融雪配管１が敷設され、地面に融雪配管２が敷設されている。一般家庭の浴槽４には給湯器３から給湯される。浴槽４に貯水されている温排水は融雪配管１、２にポンプ６、７によって供給する。【選択図】　図１
2004137727.tif 000002
【特許請求の範囲】
【請求項１】
一般家庭の家屋の屋根に敷設された第１の融雪配管と、駐車場に敷設された第２の融雪配管と、一般家庭の浴槽と、前記浴槽に貯水されている温排水を循環させて加熱、保温する給湯器と、前記浴槽に貯水されている温排水を第１の融雪配管と第２の融雪配管に供給するポンプとを具備することを特徴とする小規模融雪システム。
【請求項２】
業務を行う敷地に敷設された第３の融雪配管と、業務用給湯設備と、前記業務用給湯設備から排水される温排水を貯水する温排水槽と、前記温排水槽に貯水された温排水によって熱交換された温水を前記第３の融雪配管に供給する熱交換器とを具備することを特徴とする小規模融雪システム。
【発明の詳細な説明】
【０００１】
【発明の属する技術分野】
本発明は、雪国の一般家庭やホテル，病院の駐車場の融雪を行う小規模融雪システムに関するものである。
【０００２】
【従来の技術】
【特許文献１】特開２００１―３０３５１１号公報
雪国の一般家庭の駐車場の小規模融雪は、電気ヒーティングケーブルを敷設して電気エネルギーにより雪を融かしている。
また、大規模無散水融雪システムは、井戸水を汲み上げて道路または広場下面に埋設された融雪配管を循環させることにより路面上の雪を散水することなく融雪している。大規模無散水融雪システムについては上記特許文献１に記載されている。
地下水規制地域で地下水が利用できない場合には、地下水の代わりに化石エネルギー（石油，電気等）およびローカルエネルギー（温泉，都市排熱等）を利用した温水を循環させることにより路面上の雪を融雪している。
【０００３】
【発明が解決しようとする課題】
従来は、一般家庭の融雪は電気ヒーティング方式を採用しているが、資源の有効利用の観点から無駄になるという問題点を有する。一方、一般家庭の浴槽からは温排水が捨てられている。また、ホテルや病院などからも、業務用給湯設備で使用した温排水が毎日大量の捨てられている。温排水は、貴重な地球資源である化石燃料を消費して温水にされたものであるが、この温排水の持つ熱エネルギーを未利用のまま捨てられている。
本発明の目的は、一般家庭の浴槽や業務用給湯設備からの温排水の持つ熱エネルギーを有効利用して融雪を行う小規模融雪システムを提供することにある。
【０００４】
【課題を解決するための手段】
本発明の特徴とするところは、一般家庭の浴槽に貯水されている温排水あるいは業務用給湯設備から排水される温排水で熱交換した温水を融雪配管に供給して融雪するようにしたことにある。
本発明は一般家庭の浴槽に貯水されている温排水あるいは業務用給湯設備から排水される温排水を利用して融雪する用にしているので、一般家庭の浴槽や業務用給湯設備からの温排水の持つ熱エネルギーを有効利用することができる。
【０００５】
【発明の実施の形態】
本発明の小規模融雪システムは、既存の設備を活用して、一般家庭やホテル，病院の屋根及び駐車場の融雪を行うものである。これら温排水は、屋根や駐車場に敷設された融雪配管内を直接または間接的に循環させることにより所定の融雪が出来る。
【０００６】
以下、図面を用いて本発明の実施例を説明する。
図１は本発明の一般家庭向け一実施例を示す構成図である。
図１において、一般家庭の屋根８に融雪配管１が敷設され、また、融雪配管２が駐車場に敷設されている。給湯器３で昇温した温水を浴槽４に貯水し、プールされた温水（使用後の温排水）を循環ポンプ６、７で融雪配管１と融雪配管２に循環させる。また、循環ポンプ６により給湯器３と浴槽４の間を循環させる。
このようにして一般家庭の屋根と駐車場の雪を融雪させる。
【０００７】
この場合、冬季融雪の必要に応じて給湯器３及びこれら各循環ポンプ５，６，７を運転する。また、夏季は、これら融雪配管１，２で昼間の太陽熱を吸収して浴槽４に張った水を昇温、保温することができる。
【０００８】
従来、地下水は水温が１５℃と安定した領域にあったことから、古くから散水融雪としてその効果が認められ普及してきている。現在、これら地下水利用も地盤沈下，地下水の枯渇，環境保全等の面から地下水循環方式を採用した無散水融雪システムが多く採用されている。地下水温は１０℃以上あれば適用可能である。
【０００９】
一般家庭やホテル，病院などにおける温排水が１０℃以上（約３５℃程度）であり、一般家庭においては、冬季にこれら温水を浴槽４にプールし、給湯器３で保温しながら、この温排水を融雪配管１、２内に循環させる。温排水を融雪配管１、２内に循環させることで屋根８や駐車場の融雪を行う。
【００１０】
尚、夏季は、融雪配管１、２太陽熱を吸収し、浴槽水を昇温し給湯器３の燃料費の削減を図ることもできる。
【００１１】
図２は本発明の業務用向けの他の実施例を示す構成図である。
図２はホテル，病院の駐車場等に敷設された融雪配管３５及び融雪配管ユニット管内３５に自家の温排水槽２６にプールされた温排水２８を間接的に循環させることにより駐車場等の雪を融雪する。
【００１２】
温水ボイラ２０で加熱昇温された温水２４は貯湯槽２１に貯水される。貯湯槽２１にプールされた矢印で示す温水２４は、給湯設備２３へと給器ポンプ２２により循環させている。給湯設備２３で使用された矢印で示す温排水２８はオートストレーナ２５を経由して温排水槽２６ａにプールされる。
【００１３】
温排水槽２６ａにプールされた温排水２８は、ここから温排水ポンプ２７にて融雪用熱交換器３１に送られ排水槽２６ｂに戻る。排水槽２６ｂに戻った排水２９は、排水ポンプ３０にて下水道へ排出される。しかし、長期に渡って使用する場合には、この温排水２８の汚れが原因で融雪用熱交換器３１の管内面を閉塞させてしまうので、この対策として特殊洗浄ボールを用いた管内清掃用連続ボール洗浄装置３２の併設されている。
【００１４】
融雪配管母管３４（３４ａ、３４ｂ）及び融雪配管ユニット３５の管内には、不凍液を充填し不凍液循環ポンプ３３にて循環させる。融雪配管３５は、一端を分岐弁３６ａを介して一方の融雪配管母管３４ａに連結され、他端を分岐弁３６ｂを介して他方の融雪配管母管３４ｂに連結されている。この場合、冬季融雪の状況に応じて各循環ポンプ２７，３０，３３を運転する。
【００１５】
ホテル，病院などにおいては、これら温排水を自家の熱源水槽２６ａにプールし、この温水を融雪用熱交換器３１に循環させる。融雪配管３５内には不凍液が充填してあり、これを融雪用熱交換器３１に循環させることで駐車場等の融雪を行う。
【００１６】
長期に渡って使用する場合には、この温排水２８の汚れが原因で融雪用熱交換器３１の管内面を閉塞させてしまうので、スポンジボールを用いた管内清掃用連続ボール洗浄装置３２が併設されている。
【００１７】
このようにして融雪を行うのであるが、一般家庭の浴槽に貯水されている温排水あるいは業務用給湯設備から排水される温排水を利用して融雪する用にしているので、一般家庭の浴槽や業務用給湯設備からの温排水の持つ熱エネルギーを有効利用することができる。
【００１８】
また、上述の実施例は、既存の施設を活用して、一般家庭やホテル，病院の駐車場等の融雪を行うものであるので、融雪に使用する化石エネルギー（石油，電気等）を大幅に削減出来るため地球環境保全にも多大な寄与をすることができる。
【００１９】
【発明の効果】
本発明は一般家庭の浴槽に貯水されている温排水あるいは業務用給湯設備から排水される温排水を利用して融雪する用にしているので、一般家庭の浴槽や業務用給湯設備からの温排水の持つ熱エネルギーを有効利用することができる。
【図面の簡単な説明】
【図１】本発明の一般家庭向けの一実施例を示す構成図である。
【図２】本発明の業務用向けの他の実施例を示す構成図である。
【符号の説明】
１，２…融雪配管、３…給湯器、４…浴槽、５…給湯ポンプ、６，７…融雪用循環ポンプ、８…屋根、２０…温水ボイラ、２１…貯湯槽、２２…給器ポンプ、２３…給湯設備、２４…温水、２５…オートストレーナ、２６ａ…温排水槽、２６ｂ…排水槽、２７…温排水ポンプ、２８…温排水、２９…排水、３０…排水ポンプ、３１…融雪用熱交換器、３２…連続ボール洗浄装置、３３…不凍液循環ポンプ、３４…融雪配管母管、３５…融雪配管、３６…分岐弁。
【図１】
2004137727.tif 000003
【図２】
2004137727.tif 000004